(57)【要約】      （修正有）【課題】マスクを装着時に耳かけ紐によって生じる耳の傷みを防止すること及びマスクがずれるのを防止するマスク装着補助器を提供する。【解決手段】マスクの耳かけ紐をかけるフック状のもの１を備えさせることを特徴としたカチューシャ２であることを特徴とする。【選択図】図１
0003192636.tif 000002
【実用新案登録請求の範囲】
【請求項１】
カチューシャに、マスクの耳かけ紐をかけるフック状のものを備えさせる。
【請求項２】
ヘアバンドに、マスクの耳かけ紐をかけるフック状のものを備えさせる。
【請求項３】
バンダナに、マスクの耳かけ紐をかけるフック状のものを備えさせる。
【請求項４】
ネックウォーマーに、マスクの耳かけ紐をかけるフック状のものを備えさせる。
【請求項５】
首輪に、マスクの耳かけ紐をかけるフック状のものを備えさせる。
【請求項６】
帽子にマスクの耳かけ紐をかけるフック状のものを備えさせる。
【請求項７】
頭につけるＣ字形輪状物に、マスクの耳かけ紐をかけるフック状のものを備えさせる。
【請求項８】
頭につける輪状物に、マスクの耳かけ紐をかけるフック状のものを備えさせる。
【請求項９】
頭につけるＣ字形輪筒状物に、マスクの耳かけ紐をかけるフック状のものを備えさせる。
【請求項１０】
頭につける輪筒状物に、マスクの耳かけ紐をかけるフック状のものを備えさせる。
【請求項１１】
頭・首にかけるカチューシャ・ヘアバンド・バンダナ・ネックウォーマー・首輪・帽子状のもの・Ｃ字形輪状物・Ｃ字形輪筒状物・輪状物・輪筒状物に、長さを調節できるようフック状のものを複数備えさせる。
【請求項１２】
頭・首にかけるカチューシャ・ヘアバンド・バンダナ・ネックウォーマー・首輪・帽子状のもの・Ｃ字形輪状物・Ｃ字形輪筒状物・輪状物・輪筒状物に、頭・首のいろいろな箇所につけられるよう逆方向のフックを備えさせる。
【請求項１３】
頭・首にかけるカチューシャ・ヘアバンド・バンダナ・ネックウォーマー・首輪・帽子状のもの・Ｃ字形輪状物・Ｃ字形輪筒状物・輪状物・輪筒状物に、一部接着フックを接着剤でつける。
【請求項１４】
フックをつけたカチューシャ・ヘアバンド・バンダナ・Ｃ字形輪状物・Ｃ字形輪筒状物・輪状物・輪筒状物に補助ベルトをつける。
【考案の詳細な説明】
【技術分野】
【０００１】本発明は、マスクを装着時に耳かけ紐によって生じる耳の傷みを防止すること及びマスクがずれるのを防止する補助具に関する。
【背景技術】
【０００２】従来のマスクは、耳かけ紐を耳にかける。（特許文献１を参照）
【先行技術文献】
【０００３】
【特許文献１】実用新案公開平６−４８６９９
【考案の概要】
【考案が解決しようとする課題】
【０００４】１）市販のマスクは、耳かけ紐を耳にかけて固定するため、長時間使用や、眼鏡の同時使用により耳に痛みを生じる。
２）耳かけ紐が緩いタイプのマスクにおいては、マスクが下にずれる。
３）下を向いた時、眼鏡が落ちる。
４）耳かけ紐が緩いタイプのマスクにおいては、顔に密着しないためマスクと顔の間に隙間ができる。
【課題を解決するための手段】
【０００５】１）カチューシャ・ヘアバンド・バンダナ・ネックウォーマー・首輪・帽子状のもの・Ｃ字形輪状物・Ｃ字形輪筒状物・輪状物・輪筒状物などにフックをつけ、このフックにマスクの耳かけ紐が耳に極力かからないようにかける。
２）カチューシャ・ヘアバンド・バンダナ・ネックウォーマー・首輪・帽子状のもの・Ｃ字形輪状物・Ｃ字形輪筒状・輪状物・輪筒状物などにフックをつけ、このフックにマスクの耳かけ紐を比較的きつくかける。
３）カチューシャ・ヘアバンド・バンダナ・ネックウォーマー・首輪・帽子状のもの・Ｃ字形輪状物・Ｃ字形輪筒状物・輪状物・輪筒状物などにフックをつけ、このフックにマスクの耳かけ紐を、眼鏡の耳にかけるフレーム部分に当たるようにかける。
４）一部接着フックをつけている輪状物・輪筒状物を頭部に装着し、一部接着フックと輪状物・輪筒状物・Ｃ字形輪状物・Ｃ字形輪筒状物の隙間部に耳かけ紐をかける。
【考案の効果】
【０００６】１）市販のマスクの長時間使用や眼鏡の同時使用で生じる耳の痛みを防止。
２）耳かけ紐が緩いタイプのマスクにおいては、マスクがずれるのを防止。
３）下を向いた時、眼鏡が落ちるのを防止。
４）耳かけ紐をきつくすることでマスクと顔の間の隙間が無くなる。
５）補助ベルトをカチューシャ・ヘアバンド・バンダナ・Ｃ字形輪状物・Ｃ字形輪筒状物・輪状物・輪筒状物につけることにより、頭部の下にずれるのを防ぐ。
【図面の簡単な説明】
【０００７】
【図１】カチューシャ・Ｃ字形輪状物・Ｃ字形輪筒状物にフックを備えさせた図。
【図２】フックをつけたカチューシャ・Ｃ字形輪状物・Ｃ形輪筒状を頭部で利用した図。
【図３】フックをつけたヘアバンド・ネックウォーマー・首輪など輪状物・輪筒状物を首部で利用した図。
【図４】フックをつけたカチューシャ・Ｃ字形輪状物・Ｃ字形輪筒状物を首部で利用した図。
【図５】眼鏡が取れないように使用する際の例。
【図６】Ｃ字形輪状物・Ｃ字形輪筒状を頭部・首部につけ、これらフックに耳かけ紐をきつくかけた図。
【図７】輪状物・輪筒体状物に一部接着フックをつけた図。
【図８】一部接着フックをつけた輪状物・輪筒状物の断面図。
【図９】一部接着フックをつけた輪状物・輪筒状物を頭部につけ、耳かけ紐を一部接着フック（一部接着フックと輪状物・輪筒体状物の間の接着部位）にかけた図。
【図１０】一部接着フックをつけた輪状物・輪筒状物に補助ベルトをつけた図。
【考案を実施するための形態】
【０００８】頭部や首部に装着するカチューシャ・ヘアバンド・バンダナ・ネックウォーマー・首輪、帽子状のもの・Ｃ字形輪状物・Ｃ字形輪筒状物・輪状物・輪筒状物にフックを備えさせる。
【実施例１】
【０００９】図２のようにフックを備えてあるカチューシャ・Ｃ字形輪状物を頭の前頭部に装着し、このフックにマスクの耳かけ紐をかける。
【実施例２】
【００１０】図３のようにフックが備えてあるヘアバンド・ネックウォーマー・首輪など輪状物・輪筒状物のフックにマスクの耳かけ紐をかける。
【実施例３】
【００１１】図４にようにフックを備えてあるカチューシャ・Ｃ字形輪状物・Ｃ字形輪筒状物を首に装着し、このフックにマスクの耳かけ紐をかける。
【実施例４】
【００１２】図９のように一部接着フックをつけている輪状物・輪筒状物を頭部に装着し、図８の隙間部に耳かけ紐をかける。
【産業上の利用可能性】
【００１３】本発明は、医療・食品加工業・研究などマスクを必要とする産業で利用される。
【符号の説明】
【００１４】１    フック
２    カチューシャ・Ｃ字形輪状物
３    マスク
４    耳かけ紐
５    ヘアバンド・ネックウォーマー・首輪など輪状物・輪筒状物
６    カチューシャ・Ｃ字形輪状物・Ｃ字形輪筒状物
７    眼鏡
８    輪状物・輪筒状物
９    一部接着フック
１０  接着剤による一部接着部位
１１  隙間部
１２  補助ベルト
【図１】
0003192636.tif 000003
【図２】
0003192636.tif 000004
【図３】
0003192636.tif 000005
【図４】
0003192636.tif 000006
【図５】
0003192636.tif 000007
【図６】
0003192636.tif 000008
【図７】
0003192636.tif 000009
【図８】
0003192636.tif 000010
【図９】
0003192636.tif 000011
【図１０】
0003192636.tif 000012
【手続補正書】
【提出日】平成26年5月27日(2014.5.27)
【手続補正１】
【補正対象書類名】実用新案登録請求の範囲
【補正対象項目名】全文
【補正方法】変更
【補正の内容】
【実用新案登録請求の範囲】
【請求項１】
マスクの耳かけ紐をかけるフック状のものを備えさせることを特徴としたカチューシャであることを特徴としたマスク装着補助器。
【請求項２】
マスクの耳かけ紐をかけるフック状のもの備えさせることを特徴としたヘアバンドであることを特徴としたマスク装着補助器。
【請求項３】
マスクの耳かけ紐をかけるフック状のものを備えさせることを特徴としたバンダナであることを特徴としたマスク装着補助器。
【請求項４】
マスクの耳かけ紐をかけるフック状のものを備えさせることを特徴としたネックウォーマーであることを特徴としたマスク装着補助器。
【請求項５】
マスクの耳かけ紐をかけるフック状のものを備えさせることを特徴とした首輪であることを特徴としたマスク装着補助器。
【請求項６】
マスクの耳かけ紐をかけるフック状のものを備えさせることを特徴とした帽子であることを特徴としたマスク装着補助器。
【請求項７】
マスクの耳かけ紐をかけるフック状のものを備えさせることを特徴とした頭につけるＣ字形輪状物であることを特徴としたマスク装着補助器。
【請求項８】
マスクの耳かけ紐をかけるフック状のものを備えさせることを特徴とした頭につける輪状物であることを特徴としたマスク装着補助器。
【請求項９】
マスクの耳かけ紐をかけるフック状のものを備えさせることを特徴とした頭につけるＣ字形輪筒状物であることを特徴としたマスク装着補助器。
【請求項１０】
マスクの耳かけ紐をかけるフック状のものを備えさせることを特徴とした頭につける輪筒状物であることを特徴としたマスク装着補助器。
【請求項１１】
マスクの耳かけ紐の長さが調節できるようにフック状のものを複数つけることを特徴とした頭および／または首にかけるカチューシャ、ヘアバンド、バンダナ、ネックウォーマー、首輪、帽子状のもの、Ｃ字形輪状物、Ｃ字形輪筒状物、輪状物または輪筒状物であることを特徴としたマスク装着補助器。
【請求項１２】
頭部および／または首部に水平に装着した場合、水平におおむね上下逆方向、装着した人間の目の方向を前とした基準でおおむね前後方向、水平と垂直の間のおおむね斜め４５度の線に装着した人間の目の方向を正方向として正逆方向にフックを備えさせることを特徴とした頭および／または首にかけるカチューシャ、ヘアバンド、バンダナ、ネックウォーマー、首輪、帽子状のもの、Ｃ字形輪状物、Ｃ字形輪筒状物、輪状物または輪筒状物であることを特徴としたマスク装着補助器。
【請求項１３】
一部接着フックを接着剤でつけることを特徴とした頭および／または首にかけるカチューシャ、ヘアバンド、バンダナ、ネックウォーマー、首輪、帽子状のもの、Ｃ字形輪状物、Ｃ字形輪筒状物、輪状物または輪筒状物であることを特徴としたマスク装着補助器。
【請求項１４】
フックをつけたカチューシャ、ヘアバンド、バンダナ、Ｃ字形輪状物、Ｃ字形輪筒状物、輪状物または輪筒状物に補助ベルトをつけることを特徴としたマスク装着補助器。